(57)【要約】【課題】設定メニューで逐一設定したり、操作に習熟しなくても、ユーザの嗜好やレベル、特性に合わせた機能やメニュー、操作方法等に簡単に仕様設定可能にする。【解決手段】質問選択肢出力部１０ｆは、撮影用途についての質問と同質問に対する回答選択肢を表示駆動部５２を介して表示させる。回答入力部１０ｇは、質問選択肢出力部１０ｆにより出力された質問に対して指定された回答選択肢を入力する。ユーザ別／特性別カスタム仕様設定部１０ｅは、入力された回答選択肢に対応する仕様設定に関する情報をユーザ仕様設定メモリ８０に記憶させ、この情報に基づいて各機能制御部１０ａにより各制御部に対して仕様設定を実行させる。【選択図】      図３
2005117478.tif 000002
【特許請求の範囲】
【請求項１】
異なる仕様の設定が可能な電子カメラであって、
撮影用途についての質問に対する回答選択肢のそれぞれに対応する仕様設定に関する情報を記憶する記憶手段と、
撮影用途についての質問と同質問に対する回答選択肢を出力する質問選択肢出力手段と、
前記質問選択肢出力手段によって出力した質問に対して指定された回答選択肢を入力する回答入力手段と、
前記回答入力手段によって入力された回答選択肢に対応する前記記憶手段に記憶された仕様設定に関する情報を選択する選択手段と、
前記選択手段により選択された仕様設定に関する情報に基づいて仕様設定を行う設定手段と
を具備したことを特徴とする電子カメラ。
【請求項２】
異なる仕様の設定が可能な電子カメラであって、
カメラに対する好みについての質問に対する回答選択肢のそれぞれに対応する仕様設定に関する情報を記憶する記憶手段と、
カメラに対する好みについての質問と同質問に対する回答選択肢を出力する質問選択肢出力手段と、
前記質問選択肢出力手段によって出力した質問に対して指定された回答選択肢を入力する回答入力手段と、
前記回答入力手段によって入力された回答選択肢に対応する前記記憶手段に記憶された仕様設定に関する情報を選択する選択手段と、
前記選択手段により選択された仕様設定に関する情報に基づいて仕様設定を行う設定手段と
を具備したことを特徴とする電子カメラ。
【請求項３】
異なる仕様の設定が可能な電子カメラであって、
ユーザの特性を表す複数の分類それぞれに対応する仕様設定に関する情報を記憶する記憶手段と、
複数の質問を出力する質問出力手段と、
前記質問出力手段によって出力した複数の質問に対するそれぞれの回答を入力する回答入力手段と、
前記回答入力手段によって入力された複数の回答をもとにユーザの特性を判別する特性判別手段と、
前記特性判別手段によって判別されたユーザの特性を表す分類に対応する前記記憶手段に記憶された仕様設定に関する情報を選択する選択手段と、
前記選択手段により選択された仕様設定に関する情報に基づいて仕様設定を行う設定手段と
を具備したことを特徴とする電子カメラ。
【請求項４】
異なる仕様の設定が可能な電子カメラであって、
ユーザの特性を表す複数の分類それぞれに対応する仕様設定に関する情報を記憶する記憶手段と、
ユーザの操作に伴う使用状況の履歴を記録する履歴記憶手段と、
前記履歴記憶手段に記憶された使用状況の履歴に応じて、前記記憶手段に記憶された仕様設定に関する情報を選択する選択手段と、
前記選択手段によって選択された仕様設定に関する情報に基づいて仕様設定を行う設定手段と
を具備したことを特徴とする電子カメラ。
【請求項５】
前記選択手段によって選択された仕様設定に関する情報を複数記憶する仕様設定記憶手段と、
予め決められた特定の入力操作を受け付ける入力手段と、
前記入力手段によって入力された入力操作に応じて、前記仕様設定記憶手段によって記憶された複数の仕様設定に関する情報のうちいずれか１つを選択する仕様設定選択手段とを具備し、
前記設定手段は、前記仕様設定選択手段によって選択された仕様設定に関する情報に応じて仕様設定を行うことを特徴とする請求項１乃至請求項４の何れかに記載の電子カメラ。
【請求項６】
画像が撮影された際の前記設定手段による仕様設定を示す情報と前記画像とを合わせてメモリ媒体に記録する画像記録手段と
を具備したことを特徴とする請求項１乃至請求項４の何れかに記載の電子カメラ。
【請求項７】
異なる仕様の設定が可能な電子カメラに内蔵されたコンピュータが実行する制御プログラムであって、
コンピュータを、
撮影用途についての質問に対する回答選択肢のそれぞれに対応する仕様設定に関する情報を記憶する記憶手段と、
撮影用途についての質問と同質問に対する回答選択肢を出力する質問選択肢出力手段と、
前記質問選択肢出力手段によって出力した質問に対して指定された回答選択肢を入力する回答入力手段と、
前記回答入力手段によって入力された回答選択肢に対応する前記記憶手段に記憶された仕様設定に関する情報を選択する選択手段と、
前記選択手段により選択された仕様設定に関する情報に基づいて仕様設定を行う設定手段として機能させるための電子カメラの制御プログラム。
【請求項８】
異なる仕様の設定が可能な電子カメラに内蔵されたコンピュータが実行する制御プログラムであって、
コンピュータを、
カメラに対する好みについての質問に対する回答選択肢のそれぞれに対応する仕様設定に関する情報を記憶する記憶手段と、
カメラに対する好みについての質問と同質問に対する回答選択肢を出力する質問選択肢出力手段と、
前記質問選択肢出力手段によって出力した質問に対して指定された回答選択肢を入力する回答入力手段と、
前記回答入力手段によって入力された回答選択肢に対応する前記記憶手段に記憶された仕様設定に関する情報を選択する選択手段と、
前記選択手段により選択された仕様設定に関する情報に基づいて仕様設定を行う設定手段として機能させるための電子カメラの制御プログラム。
【請求項９】
異なる仕様の設定が可能な電子カメラに内蔵されたコンピュータが実行する制御プログラムであって、
コンピュータを、
ユーザの特性を表す複数の分類それぞれに対応する仕様設定に関する情報を記憶する記憶手段と、
複数の質問を出力する質問出力手段と、
前記質問出力手段によって出力した複数の質問に対するそれぞれの回答を入力する回答入力手段と、
前記回答入力手段によって入力された複数の回答をもとにユーザの特性を判別する特性判別手段と、
前記特性判別手段によって判別されたユーザの特性を表す分類に対応する前記記憶手段に記憶された仕様設定に関する情報を選択する選択手段と、
前記選択手段により選択された仕様設定に関する情報に基づいて仕様設定を行う設定手段として機能させるための電子カメラの制御プログラム。
【請求項１０】
異なる仕様の設定が可能な電子カメラに内蔵されたコンピュータが実行する制御プログラムであって、
コンピュータを、
ユーザの特性を表す複数の分類それぞれに対応する仕様設定に関する情報を記憶する記憶手段と、
ユーザの操作に伴う使用状況の履歴を記録する履歴記憶手段と、
前記履歴記憶手段に記憶された使用状況の履歴に応じて、前記記憶手段に記憶された仕様設定に関する情報を選択する選択手段と、
前記選択手段によって選択された仕様設定に関する情報に基づいて仕様設定を行う設定手段として機能させるための電子カメラの制御プログラム。
【発明の詳細な説明】
【技術分野】
【０００１】
本発明は、複数の機能が搭載された電子スチルカメラ、ビデオカメラ、カメラ付携帯電話、カメラ付情報通信端末等の電子カメラ、及び電子カメラの制御プログラムに関する。
【背景技術】
【０００２】
従来、電子カメラ（電子スチルカメラ、ビデオカメラ）等のカメラでは、写真（画像、動画）を撮る目的は同じでも、初心者や、機器の操作が苦手な人から、多機能でも使いこなせる人まで、また、記念写真しか撮らない人から、日々スナップ写真を撮ったり、作品として発表する人、プロのカメラマンまで多岐にわたる。
【０００３】
最近では、カメラには興味がなくても、ホームページに画像を載せる入力手段として利用したり、日記を公開する感覚で身の回りの写真を公開するユーザなど用途も様々である。
【０００４】
用途や機能別に製品は多種あるが、機能やデザインは気に入っても、個人毎の用途やレベルに適した仕様の製品を入手するのは難しい。メーカー側でも、誰にでも合わせられる様に多種の仕様を盛り込むと、複雑で使いにくい製品になってしまう。個人専用で使う携帯電話と違って、カメラでは、友人に借りたり、家族で共同利用する場合も多い。
【０００５】
従来、パーソナルコンピュータ（ＰＣ）や携帯電話では、ユーザ毎の好みや、ログイン認証等に合わせて、デスクトップや待ち受け画面、報知音、メニューの表示などを変更できるカスタマイズ機能があった。
【０００６】
例えば、ユーザが必要とする機能を不揮発性メモリに登録し、簡易メニュー表示では登録された機能だけを表示する（特許文献１）、初心者用ボタンメニューと、上級者用プルダウンメニューとを選べる（特許文献２）、ユーザの習熟度を判定し、習熟度に応じた機能メニューを表示する（特許文献３）、制限しないフル設定モードと、初心者用に項目を制限した設定モードとを設け、初心者モードで出荷する（特許文献４）、「簡単」キーを押すと、フル機能メニューのうちの重要な機能のみの簡略化メニューを表示する（特許文献５）、といったカスタマイズ機能が考えられていた。
【０００７】
また、パスワードまたは指紋認証により、撮影者別に画像の記録、再生を管理して、画像の機密を守るカメラ等の考案もある（特許文献６）。
【特許文献１】特願平１１−２５７３２９号公報
【特許文献２】特願２０００−１３７０２４号公報
【特許文献３】特願２０００−２３８１５８号公報
【特許文献４】特願２００１−４３２５４号公報
【特許文献５】特願２００１−２４００１３号公報
【特許文献６】特願２００１−１４６０２号公報
【発明の開示】
【発明が解決しようとする課題】
【０００８】
このようにして、ＰＣや通信端末では、使用者に合わせて必要な項目だけ表示するようにした簡易メニュー等、前記の様な考案があったが、管理者が設定できる業務ソフトや、ユーザが自分で設定できる場合は良いが、購入したばかりや、他の人から借りて使う場合には、設定操作を習熟しないと使えなかった。個人毎に習熟度や好みも異なるので、簡易メニューでは対応できなかった。さらに、習熟度別にボタンや機能を増やすと、複雑になりコストも上がってしまう。
【０００９】
また、電子カメラでも、ユーザの好みで機能をカスタマイズできる製品や、パスワードにより、ユーザ毎に画像の記録再生を管理できる考案もあったが、撮影の度にパスワード入力すると、他人に見られたくない画像など機密は守れるが、使い勝手が悪くなってしまう。また、シャッタチャンスを逃したり、機動性が悪くなり、認証せずに利用すると機能が制限されてしまう。さらに、新規ユーザには、パスワードや指紋の登録が必要となり、借りて使う場合なども扱いが面倒になってしまう。
【００１０】
本発明は、前記のような問題に鑑みなされたもので、設定メニューで逐一設定したり、操作に習熟しなくても、ユーザの嗜好やレベル、特性に合わせた機能やメニュー、操作方法等に、簡単に仕様設定が可能な電子カメラ、及び電子カメラの制御プログラムを提供することを目的とする。
【課題を解決するための手段】
【００１１】
請求項１記載の発明は、異なる仕様の設定が可能な電子カメラであって、撮影用途についての質問に対する回答選択肢のそれぞれに対応する仕様設定に関する情報を記憶する記憶手段と、撮影用途についての質問と同質問に対する回答選択肢を出力する質問選択肢出力手段と、前記質問選択肢出力手段によって出力した質問に対して指定された回答選択肢を入力する回答入力手段と、前記回答入力手段によって入力された回答選択肢に対応する前記記憶手段に記憶された仕様設定に関する情報に基づいて仕様設定を行う設定手段とを具備したことを特徴とする。
【００１２】
請求項２記載の発明は、異なる仕様の設定が可能な電子カメラであって、カメラに対する好みについての質問に対する回答選択肢のそれぞれに対応する仕様設定に関する情報を記憶する記憶手段と、カメラに対する好みについての質問と同質問に対する回答選択肢を出力する質問選択肢出力手段と、前記質問選択肢出力手段によって出力した質問に対して指定された回答選択肢を入力する回答入力手段と、前記回答入力手段によって入力された回答選択肢に対応する前記記憶手段に記憶された仕様設定に関する情報に基づいて仕様設定を行う設定手段とを具備したことを特徴とする。
【００１３】
請求項３記載の発明は、異なる仕様の設定が可能な電子カメラであって、ユーザの特性を表す複数の分類それぞれに対応する仕様設定に関する情報を記憶する記憶手段と、複数の質問を出力する質問出力手段と、前記質問出力手段によって出力した複数の質問に対するそれぞれの回答を入力する回答入力手段と、前記回答入力手段によって入力された複数の回答をもとに特性を判別する特性判別手段と、前記特性判別手段によって判別された特性を表す分類に対応する前記記憶手段に記憶された仕様設定に関する情報に基づいて仕様設定を行う設定手段とを具備したことを特徴とする。
【００１４】
請求項４記載の発明は、異なる仕様の設定が可能な電子カメラであって、ユーザの特性を表す複数の分類それぞれに対応する仕様設定に関する情報を記憶する記憶手段と、ユーザの操作に伴う使用状況の履歴を記録する履歴記憶手段と、前記履歴記憶手段に記憶された使用状況の履歴に応じて、前記記憶手段に記憶された仕様設定に関する情報を選択する選択手段と、前記選択手段によって選択された仕様設定に関する情報に基づいて仕様設定を行う設定手段とを具備したことを特徴とする。
【００１５】
請求項５記載の発明は、請求項乃至請求項３の何れかに記載の発明において、前記設定手段によって設定された仕様設定に関する情報を複数記憶する仕様設定記憶手段と、予め決められた特定の入力操作を受け付ける入力手段と、前記入力手段によって入力された入力操作に応じて、前記仕様設定記憶手段によって記憶された仕様設定に関する情報を選択する仕様設定選択手段と、前記仕様設定選択手段によって選択された仕様設定に関する情報に応じて仕様設定を行う選択仕様設定手段とを具備したことを特徴とする。
【００１６】
請求項６記載の発明は、請求項１乃至請求項３の何れかに記載の発明において、画像が撮影された際の前記設定手段による仕様設定を示す情報と前記画像とを合わせてメモリ媒体に記録する画像記録手段を具備したことを特徴とする。
【００１７】
請求項７記載の発明は、異なる仕様の設定が可能な電子カメラに内蔵されたコンピュータが実行する制御プログラムであって、コンピュータを、撮影用途についての質問に対する回答選択肢のそれぞれに対応する仕様設定に関する情報を記憶する記憶手段と、撮影用途についての質問と同質問に対する回答選択肢を出力する質問選択肢出力手段と、前記質問選択肢出力手段によって出力した質問に対して指定された回答選択肢を入力する回答入力手段と、前記回答入力手段によって入力された回答選択肢に対応する前記記憶手段に記憶された仕様設定に関する情報に基づいて仕様設定を行う設定手段として機能させる。
【００１８】
請求項８記載の発明は、異なる仕様の設定が可能な電子カメラに内蔵されたコンピュータが実行する制御プログラムであって、コンピュータを、カメラに対する好みについての質問に対する回答選択肢のそれぞれに対応する仕様設定に関する情報を記憶する記憶手段と、カメラに対する好みについての質問と同質問に対する回答選択肢を出力する質問選択肢出力手段と、前記質問選択肢出力手段によって出力した質問に対して指定された回答選択肢を入力する回答入力手段と、前記回答入力手段によって入力された回答選択肢に対応する前記記憶手段に記憶された仕様設定に関する情報に基づいて仕様設定を行う設定手段として機能させる。
【００１９】
請求項９記載の発明は、異なる仕様の設定が可能な電子カメラに内蔵されたコンピュータが実行する制御プログラムであって、コンピュータを、ユーザの特性を表す複数の分類それぞれに対応する仕様設定に関する情報を記憶する記憶手段と、複数の質問を出力する質問出力手段と、前記質問出力手段によって出力した複数の質問に対するそれぞれの回答を入力する回答入力手段と、前記回答入力手段によって入力された複数の回答をもとに特性を判別する特性判別手段と、前記特性判別手段によって判別された特性を表す分類に対応する前記記憶手段に記憶された仕様設定に関する情報に基づいて仕様設定を行う設定手段として機能させる。
【００２０】
請求項１０記載の発明は、異なる仕様の設定が可能な電子カメラに内蔵されたコンピュータが実行する制御プログラムであって、コンピュータを、ユーザの特性を表す複数の分類それぞれに対応する仕様設定に関する情報を記憶する記憶手段と、ユーザの操作に伴う使用状況の履歴を記録する履歴記憶手段と、前記履歴記憶手段に記憶された使用状況の履歴に応じて、前記記憶手段に記憶された仕様設定に関する情報を選択する選択手段と、前記選択手段によって選択された仕様設定に関する情報に基づいて仕様設定を行う設定手段として機能させる。
【発明の効果】
【００２１】
請求項１記載の発明によれば、撮影用途についての質問と同質問に対する回答選択肢を出力し、この質問に対して入力された回答選択肢に対応して仕様設定することができるので、設定メニューで逐一機能設定したり、操作に習熟したりしなくても、ユーザの用途や嗜好、レベル、特性に合わせた機能仕様や操作仕様などの仕様設定を容易に行うことができる。
【００２２】
請求項２記載の発明によれば、カメラに対する好みについての質問と同質問に対する回答選択肢を出力し、この質問に対して指定された回答選択肢に対応する仕様設定することができるので、設定メニューで逐一機能設定したり、操作に習熟したりしなくても、ユーザの用途や嗜好、レベル、特性に合わせた機能仕様や操作仕様などの仕様設定を容易に行うことができる。
【００２３】
請求項３記載の発明によれば、複数の質問を出力し、この複数の質問に対する複数の回答をもとにユーザの特性を判別し、この判別された特性を表す分類に対応して仕様設定することができるので、設定メニューで逐一機能設定したり、操作に習熟したりしなくても、ユーザの用途や嗜好、レベル、特性に合わせた機能仕様や操作仕様などの仕様設定を容易に行うことができる。
【００２４】
請求項４記載の発明によれば、使用状況の履歴を記録し、この記憶された使用状況の履歴に応じて仕様設定をすることができるので、ユーザによる実際の使用状況に応じた仕様設定にすることができる。
【００２５】
請求項５記載の発明によれば、請求項１乃至３の発明の効果に加えて、予め決められた特定の入力操作を受け付け、この入力操作に応じて仕様設定を行うので、複数ユーザで共用する場合にも個人毎の特性に合わせた操作環境を簡単に提供することができる。
【００２６】
請求項６記載の発明によれば、請求項１乃至３の発明の効果に加えて、画像が撮影された際の仕様設定を示す情報を画像とを合わせてメモリ媒体に記録するので、メモリ媒体から画像を読出し再生出力する際には、仕様設定を示す情報をもとに自動的にユーザ仕様設定データやユーザ特性に基づいて、機器の仕様や再生方法を自動的に設定して、ユーザの好みや特性に合わせた利用方法ができる。
【００２７】
請求項７記載の発明によれば、撮影用途についての質問と同質問に対する回答選択肢を出力させ、この質問に対して入力された回答選択肢に対応して仕様設定させることができるので、設定メニューで逐一機能設定したり、操作に習熟したりしなくても、ユーザの用途や嗜好、レベル、特性に合わせた機能仕様や操作仕様などの仕様設定を容易に行うことができる。
【００２８】
請求項８記載の発明によれば、カメラに対する好みについての質問と同質問に対する回答選択肢を出力させ、この質問に対して指定された回答選択肢に対応する仕様設定をさせることができるので、設定メニューで逐一機能設定したり、操作に習熟したりしなくても、ユーザの用途や嗜好、レベル、特性に合わせた機能仕様や操作仕様などの仕様設定を容易に行うことができる。
【００２９】
請求項９記載の発明によれば、複数の質問を出力し、この複数の質問に対する複数の回答をもとにユーザの特性を判別させ、この判別された特性を表す分類に対応して仕様設定させることができるので、設定メニューで逐一機能設定したり、操作に習熟したりしなくても、ユーザの用途や嗜好、レベル、特性に合わせた機能仕様や操作仕様などの仕様設定を容易に行うことができる。
【００３０】
請求項１０記載の発明によれば、使用状況の履歴を記録させ、この記憶された使用状況の履歴に応じて仕様設定をさせることができるので、ユーザによる実際の使用状況に応じた仕様設定にすることができる。
【発明を実施するための最良の形態】
【００３１】
以下、図面を参照して本発明の実施の形態について説明する。  
図１は、本発明の実施の形態における電子カメラの回路システム構成を示すブロック図である。図１は、一眼レフの電子スチルカメラを例にして用いている。本発明は、電子スチルカメラだけでなく、ビデオカメラ、カメラ付携帯電話、カメラ付情報通信端末等にも適用することが可能である。
【００３２】
電子カメラには、カメラ全体を制御する制御回路１０が設けられている。制御回路１０は、各制御部を制御することで、各種機能やメニュー、操作方法を実現することができる。本実施形態の電子カメラでは、ユーザ毎に設定されてユーザ仕様設定メモリ８０に記憶された仕様設定に関する情報に応じて、各種機能やメニュー、操作方法についての仕様設定を行う。
【００３３】
制御回路１０は、入力回路１２を通じて各種入力デバイスから入力される指示に応じて、各種機能の制御や設定等を実行する。入力回路１２は、例えばシャッタ半押しスイッチ１３、シャッタスイッチ１４、ダイアル１５、カーソルキー１６、その他入力部１７、座標入力部５５（タッチパネル）等からの入力を制御回路１０に通知する。
【００３４】
制御回路１０は、絞り制御部２４、シャッタ制御／ミラー制御部２５、ズーム制御部２６、焦点制御部２７、測距制御部３７、露出制御部３８、フラッシュ制御部７０等を通じて撮影動作を制御する。絞り制御部２４は、撮影レンズ２０（交換レンズ）のレンズ光学系２１に設けられた絞り２２を制御し、ズーム制御部２６及び焦点制御部２７は、それぞれレンズ駆動部２８、レンズ駆動部２９を通じてレンズ位置を駆動制御する。シャッタ制御／ミラー制御部２５は、ハーフミラー３０の角度制御及びシャッタ３４を開閉駆動を制御する。
【００３５】
レンズ光学系２１、絞り２２を通じて受光される被写体の光は、ハーフミラー３０、ペンタプリズム３１などを通じて光学ファインダ３２に導入される。また、被写体の光は、タイミング発生部４１及びドライバ４２による走査駆動制御に従いＣＣＤ（Charge Coupled Device）等の撮像素子４０によって光電変換され、サンプルホールド（Ｓ＆Ｈ）／オートゲインコントローラ（ＡＧＣ）４４、Ａ／Ｄ回路４５を通じてデジタルデータ化されて入力される。
【００３６】
制御回路１０は、撮影時では、Ａ／Ｄ回路４５を介して入力されるデジタルデータに対して画像信号処理部５７によりデータ圧縮等の処理を施して、画像メモリ（半導体メモリ）５８に撮影画像として記録する。また、制御回路１０は、撮像系（シャッタ３４〜Ａ／Ｄ回路４５）を通じて入力される画像データを表示メモリ５０に記録し、表示メモリ５０に記録された画像データに基づいた表示を表示駆動部５２によりタッチパネル／表示モニタ５４（タッチパネル５４ａ、表示モニタ５４ｂ（ＬＣＤモニタ））において表示させて、電子ファインダとして画像をリアルタイムに表示する。
【００３７】
測距制御部３７及び露出制御部３８は、レンズ光学系２１、ミラー３５ａ，３５ｂを介して入力される光をもとにした測光測距検出部３６による測光、測距に応じた測距制御、露出制御をそれぞれ実行する。
【００３８】
フラッシュ制御部７０は、制御回路１０の制御により、シャッタスイッチ１４に対するシャッタ操作に応じて、フラッシュ駆動部７２によりフラッシュ７３を閃光駆動させる。フラッシュ駆動部７２は、ストロボ駆動が設定されている場合に、電源駆動部７５を介して電池７８からの電力を図示せぬフラッシュ用大容量コンデンサに充電させた上でフラッシュ７３を閃光駆動する。
【００３９】
また、制御回路１０は、外部Ｉ／Ｏインタフェース６０を通じて外部接続コネクタ６１に接続された外部の機器、例えばパーソナルコンピュータ（ＰＣ）、プリンタ機器、他の電子カメラとの間で、画像メモリ５８に記録された画像データの転送などの通信を実行することができる。また、カードインタフェースＩ／Ｆ６２を通じて、図示せぬメモリスロットを通じて装着される着脱式の外部メモリ６３に対して画像データを記録し、また外部メモリ６３に記録された画像データを読み出して画像メモリ５８に記録する。
【００４０】
また、制御回路１０は、外部Ｉ／Ｏインタフェース６０を介してだけでなく、無線通信／ＬＡＮインタフェース６５を通じて、ベースバンド部６６、送受信部６７、及びアンテナ６８により無線通信によって他の機器との間で画像データ等の送受信をすることができる。
【００４１】
制御回路１０は、電源スイッチ７６による操作により起動される。制御回路１０は、電源駆動部７５を通じて電池７８から供給される電力を制御する。
【００４２】
図１に示す構成では、撮像素子４０を利用して被写体を電子撮影し、画像メモリ５８や着脱式の外部メモリ６３に記録し、撮影された画像を内蔵されたタッチパネル／表示モニタ５４や、あるいは外部Ｉ／Ｏインタフェース６０（外部接続コネクタ６１）または無線通信／ＬＡＮインタフェース６５（送受信部６７、ベースバンド部６６）を介して接続される外部の機器（パーソナルコンピュータ、プリンタ等）で再生出力できるようにしている。
【００４３】
また、測光測距検出部３６により測光して露出条件や絞りの開閉量や、シャッタ速度、ホワイトバランスや撮像感度などを自動調整したり、ＰＳＤ（Position Sensitive Detector）センサなど測距センサにより被写体との距離に合わせてレンズ位置を自動的に駆動制御するオートフォーカス機構や、多焦点のズームレンズ駆動機構を実現することができる。
【００４４】
図２は、本発明の実施の形態におけるユーザ別仕様設定をする場合の基本構成部のみを抽出したブロック図を示している。図２に示すように、制御回路１０には、各機能制御部１０ａ、操作入力部１０ｂ、ユーザ識別部１０ｃ、及びユーザ別カスタム仕様設定部１０ｄが設けられる。
【００４５】
各機能制御部１０ａは、操作入力部１０ｂ及び入力回路１２を通じて、各種の入力デバイスをユーザが操作することにより入力される指示に応じて各種機能を制御する。
【００４６】
操作入力部１０ｂは、入力回路１２からの各種入力デバイスからの入力を制御し、各機能制御部１０ａに通知する。
【００４７】
ユーザ識別部１０ｃは、入力回路１２からの各種入力デバイスからの入力に応じて、ユーザ別仕様設定の対象とするユーザを識別する。ユーザ識別部１０ｃは、予め決められたタイミング、例えば電源スイッチ７６が押された直前（あるいは直後）の入力、または複数の入力デバイスが同時操作（あるいは決められた順番による操作）されたことによる入力をもとにして対象ユーザを識別することができる。
【００４８】
ユーザ別カスタム仕様設定部１０ｄは、ユーザ識別部１０ｃによって識別された対象ユーザについて、入力回路１２を通じて入力される各種入力デバイスからの指示に応じて、ユーザ仕様設定メモリ８０に仕様設定に関する情報、すなわち各種仕様のそれぞれについての設定内容についての設定値のデータ（詳細については後述する（図４参照））を記憶させる。また、ユーザ別カスタム仕様設定部１０ｄは、ユーザ識別部１０ｃによって識別された対象ユーザに対応する仕様設定に関する情報を選択して、各機能制御部１０ａに提供して各機能部を制御させる。
【００４９】
各機能制御部１０ａは、ユーザ別カスタム仕様設定部１０ｄによって選択された仕様設定に関する情報に応じて、各制御部に対して仕様設定することでユーザ別の仕様を提供する。
【００５０】
なお、この場合、ユーザ仕様設定メモリ８０には、図２に示すように、ユーザ別（ユーザＡ、ユーザＢ、…）に、複数の使用の項目（項目１、項目２、…）のそれぞれについて設定値のデータ（仕様１ａ、仕様２ａ、…）が記憶される。
【００５１】
図３は、本発明の実施の形態におけるユーザ別仕様設定をする場合の構成部のみを抽出したブロック図を示している。図３に示すように、制御回路１０は、各機能制御部１０ａ、操作入力部１０ｂ、ユーザ識別部１０ｃ、ユーザ別／特性別カスタム仕様設定部１０ｅ、質問選択肢出力部１０ｆ、回答入力部１０ｇ、及びユーザ特性識別部１０ｈが設けられている。なお、図２に示すブロック図と同様の構成部分については同一符号を付して説明を省略する。
【００５２】
ユーザ別／特性別カスタム仕様設定部１０ｅは、ユーザ識別部１０ｃによって識別された対象ユーザについて、入力回路１２を通じて入力される各種入力デバイスからの指示に応じて、ユーザ仕様設定メモリ８０に仕様設定に関する情報、すなわち各種仕様のそれぞれについての設定内容についての設定値のデータ（詳細については後述する（図４参照））を記憶させる。ユーザ別／特性別カスタム仕様設定部１０ｅは、第１及び第２実施形態では、質問選択肢出力部１０ｆにより出力された質問に対して回答入力部１０ｇにより入力された回答に応じて仕様設定に関する情報をユーザ仕様設定メモリ８０に記憶させる。また、第３実施形態では、ユーザ特性識別部１０ｈによって判別されるユーザの特性を表す複数の分類それぞれに対応する仕様設定に関する情報をユーザ仕様設定メモリ８０に記憶させる。また、ユーザ別カスタム仕様設定部１０ｄは、ユーザ識別部１０ｃによって識別された対象ユーザに対応する仕様設定に関する情報を選択して、各機能制御部１０ａに提供して各機能部を制御させる。
【００５３】
質問選択肢出力部１０ｆは、ユーザ別の仕様設定に関する情報を記録するために、表示駆動部５２により表示モニタ５４ｂにおいて、質問と、この質問に対する回答選択肢を表示させる。第１実施形態では、撮影用途についての質問と同質問に対する回答選択肢を表示出力させ、第２実施形態では、カメラに対する好みについての質問と同質問に対する回答選択肢を出力する。第３実施形態では、アンケートの形式によって複数の質問と同回答に対する回答選択肢（この場合、回答選択肢としては「Ｙｅｓ／Ｎｏ」「１〜４」など）を出力する。
【００５４】
回答入力部１０ｇは、質問選択肢出力部１０ｆによって表示出力された質問に対して、各種入力デバイスを用いて指定された回答選択肢を入力する。
【００５５】
ユーザ特性識別部１０ｈは、第３実施形態において、回答入力部１０ｇによって入力された回答選択肢をもとにユーザの特性を表す分類を判別する。
【００５６】
ユーザ仕様設定メモリ８０には、仕様設定に関する情報として、ユーザ別の撮影用途（第１実施形態）、あるいはカメラに対する好み（第２実施形態）についての質問に対する回答選択肢のそれぞれに対応する仕様設定に関する情報が記憶される。また、ユーザに対する質問（アンケート）に対する回答に応じて判別されるユーザ特性の分類それぞれに対応する仕様設定に関する情報が記憶される（第３実施形態）。
【００５７】
図４は、本実施形態における電子カメラがユーザからの指示に応じて設定（カスタマイズ）できる仕様と設定値の具体例について示す図である。
【００５８】
例えば、電子カメラでは、設定可能な仕様として、「メモリカード未装填時のレリーズ操作」「ＬＣＤモニタの表示」「撮影画像の確認表示」…等についての設定が可能となるように構成されている。例えば、「メモリカード未装填時のレリーズ操作」については「禁止する」（設定値＝０）、「許可する」（設定値＝２）が設定可能であり、「ＬＣＤモニタの表示」については「自動パワーオフ」（設定値＝０）、「オン」（設定値＝１）、「オフ」（設定値＝２）が設定可能である。その他の仕様の項目についてもそれぞれ複数の設定が可能となっている。
【００５９】
（第１実施形態）  
次に、本発明の第１実施形態について説明する。  
第１実施形態では、「カメラの撮影用途」についての質問と回答選択肢を表示し、回答入力を要求して、ユーザに選択させることで、入力した回答に応じてメニューや操作仕様などをユーザ別の仕様に自動設定するための仕様設定に関する情報をユーザと対応づけてユーザ仕様設定メモリ８０に設定する。
【００６０】
質問と回答入力は、例えば電源ＯＮ直後の起動画面などで行い、一度設定した後は、対象ユーザの指定だけで、自動的にそのユーザに該当する登録された仕様設定に関する情報（カスタム仕様）を読み出して、カメラの機能や操作仕様やメニュー表示項目などを、該当するカスタム仕様に自動的に設定し、ユーザ毎の撮影用途に適した仕様でカメラを利用できるようにする。
【００６１】
図５は、第１実施形態におけるユーザ別の仕様設定の制御を説明するためのフローチャートである。ここでは、図３に示すブロック図を参照しながら説明する。
【００６２】
まず、制御回路１０は、入力回路１２を通じて入力操作を受け付けると（ステップＡ１）、この入力操作が予め決められた特定の入力操作であるかを判別する（ステップＡ２）。例えば電源スイッチ７６やＭＥＮＵスイッチ（図示せず）を押す直前あるいは直後のスイッチ操作であるか、または予め決められた複数（例えばシャッタ、Ｐｌａｙ／Ｒｅｃ、カーソルキー等）の入力デバイスに対する同時操作（スイッチの同時押しなど）であるかを判別する。つまり、操作入力部１０ｂは、入力デバイスを用いた、仕様設定の対象とするユーザや、ユーザ別に設定済みの仕様設定を選択するための入力操作が行われたかを判別する（ステップＡ３）。
【００６３】
なお、入力デバイスに対する同時操作だけでなく複数の入力デバイス、好ましくは３個あるいは４個の入力デバイス（例えば、電源スイッチ７６、ＭＥＮＵ、シャッタ、Ｐｌａｙ／Ｒｅｃ、カーソルキー等）を予め決められた特定の順序で指定する入力操作としてもよい（２つの入力デバイスを対象として場合には誤操作の可能性が高くなるため）。このように、特定の入力操作によってユーザ（あるいは仕様設定）を指定することで、スイッチの追加やパスワード入力なしで、ユーザ指定や仕様選択を簡単に行うことができる。
【００６４】
例えば、電子カメラが家族（父、母、兄、妹）で共用されている場合、カーソルキーの上キーを押したまま電源スイッチ７６が押されると、ユーザＡ（お父さん）が指定されたものと判別する。同様に、カーソルの右キーを押したまま電源スイッチ７６を押すとユーザＢ（お母さん）の指定、左キーを押したまま電源スイッチ７６を押すとユーザＣ（お兄さん）の指定、下キーを押したまま電源スイッチ７６を押すとユーザＤ（妹）の指定がされたものとして判別する。
【００６５】
ユーザ識別部１０ｃは、入力回路１２から入力される入力操作が、ユーザ（あるいは設定済みの仕様設定）を指定する場合、ユーザ別／特性別カスタム仕様設定部１０ｅに通知する。
【００６６】
ユーザ別／特性別カスタム仕様設定部１０ｅは、指定されたユーザについての仕様設定に関する情報がユーザ仕様設定メモリ８０に設定済みであるか確認する（ステップＡ４）。
【００６７】
ここで、例えば、ユーザ選択して電源ＯＮする入力操作であった場合、ユーザ別／特性別カスタム仕様設定部１０ｅは、仕様設定に関する情報の新規登録であると判別し（ステップＡ４、Ｎｏ）、質問選択肢出力部１０ｆにより仕様設定のための質問とこの質問に対する回答選択肢を表示出力させる（ステップＡ５）。
【００６８】
なお、起動画面で「カスタマイズ仕様で利用しますか？」「カスタマイズ仕様の設定をしますか？」「設定を解除しますか？」などの選択肢を表示出力して選択させ、この選択に従って動作するようにしても良い。また、前述した説明では、初めにユーザ指定をさせているが、以下に説明する仕様設定の登録手順の中でユーザ指定のためのスイッチ操作（複数の入力デバイスに対する操作）を受け付けるようにしてもよい。
【００６９】
第１実施形態では、質問選択肢出力部１０ｆは、撮影用途についての質問と同質問に対する回答選択肢を表示出力させる。例えば、図６（ａ）に示すように、質問Ｑ１として「何を撮影することが多いですか」「カメラをどのように利用しますか？」を表示させると共に、この質問に対する複数の回答選択肢「Ａ１〜Ａ４」を表示させる。図６（ａ）に示す例では、「Ａ１．旅行や家族の記念写真のみ。」「Ａ２．気軽に人物や街のスナップ写真を撮る。」「Ａ３．個人ホームページに掲載したり、他人に公開する。」「Ａ４．作品として発表したり、仕事として利用する。」の回答選択肢が用意されている。
【００７０】
ユーザ別／特性別カスタム仕様設定部１０ｅは、質問選択肢出力部１０ｆによって表示される各回答選択肢に対して、回答選択肢のそれぞれに対応する仕様設定に関する情報を用意している。
【００７１】
例えば、「Ａ１．旅行や家族の記念写真のみ。」の回答選択肢に対しては、初心者用にシャッタを押して撮影する機能に徹した、フルオートの単純機能で簡単操作の仕様設定（→初心者用、簡単操作）、「Ａ２．気軽に人物や街のスナップ写真を撮る。」の回答選択肢に対しては、クイック操作で撮影条件の設定や構図選択も機動性にできる仕様設定（→機動性優先、クイック操作／カスタム操作）、「Ａ３．個人ホームページに掲載したり、他人に公開する。」の回答選択肢に対しては、画質優先の標準操作の仕様設定（→画質優先、標準操作）、「Ａ４．作品として発表したり、仕事として利用する。」回答選択肢に対しては、画質優先の詳細操作の仕様設定（→画質優先、詳細操作／カスタム操作）を示す情報が用意されている。
【００７２】
図７（ａ）には、質問Ｑ１に対する回答選択肢（Ａ１〜Ａ４）に対して設定される、撮影用途別のユーザ仕様設定の内容を示している。図７（ａ）に示すように、ユーザ仕様設定では、機能仕様、操作仕様、カスタム仕様、その他、…についての設定内容が決められている。例えば、機能仕様では、初心者用、ヘビーユーザ用、一般用、プロ／業務用などのカスタム仕様が用意されており、回答選択肢に応じたユーザカスタム仕様が設定されている。
【００７３】
図８には、図７（ａ）に示すユーザカスタム仕様ごとに決められた仕様の項目（図４参照）のそれぞれについての設定値を示している。例えば、機能仕様についてのカスタム仕様（初心者用）に対しては、仕様の項目「ボタン操作照明の設定」「スポット測光設定」「手ぶれ防止機能」についての設定値のみが「１」であり、その他の仕様の項目については設定値を「０」とすることで決められている。同様にして、機能仕様のカスタム仕様２（一般用）、カスタム仕様３（プロ用）…などのそれぞれについて、仕様の項目についての設定値が決められている。また、操作仕様（簡易操作、クイック操作、フル操作…）、カスタム仕様、その他についても、同様にして各仕様の項目についての設定値が決められているものとする。
【００７４】
なお、図８に示すように、ユーザからの仕様設定の指示がない場合などに用いられるデフォルト仕様についても、各仕様の項目についての設定値が定義されているものとする。
【００７５】
回答入力部１０ｇは、質問選択肢出力部１０ｆによって表示出力された質問に対する回答、すなわち複数の回答選択肢の何れかの指定（選択）を入力する（ステップＡ６）。
【００７６】
ここで、回答入力部１０ｇにより有効な回答が得られなかった場合（無効回答または未回答）、ユーザ別／特性別カスタム仕様設定部１０ｅは、登録（設定）作業を解除する、または図８に示すようなデフォルト仕様に設定する（ステップＡ８）。なお、デフォルト仕様に設定するだけでなく、前回の起動時に指定されたユーザの仕様設定を行うようにしても良い。
【００７７】
一方、有効な回答が得られた場合（ステップＡ７、Ｙｅｓ）、ユーザ別／特性別カスタム仕様設定部１０ｅは、回答内容に従って、対応するカスタム仕様を該当するユーザと対応づけてユーザ仕様設定メモリ８０に登録（設定）する（ステップＡ９）。また、ユーザ別／特性別カスタム仕様設定部１０ｅは、該当キー操作を該当ユーザの選択操作として登録し（ステップＡ１０）、ユーザ登録を終了する（ステップＡ１１）。
【００７８】
そして、ユーザ別／特性別カスタム仕様設定部１０ｅは、ユーザ仕様設定メモリ８０に設定された該当ユーザ（ここでは新規登録されたユーザ）の仕様設定に関する情報を読み出して各機能制御部１０ａに提供する（ステップＡ１２）。
【００７９】
各機能制御部１０ａは、ユーザ別／特性別カスタム仕様設定部１０ｅから提供された仕様設定に関する情報をもとにして、カメラの各機能、メニュー表示、操作方法等を含む各制御部に対する仕様設定を行う（ステップＡ１３）。これにより、ユーザ仕様の設定を終了する。
【００８０】
ところで、ステップＡ４において、指定されたユーザについての仕様設定に関する情報がユーザ仕様設定メモリ８０に設定済みであると判別された場合（ステップＡ４、Ｙｅｓ）、ユーザ別／特性別カスタム仕様設定部１０ｅは、ユーザ仕様設定メモリ８０に設定された該当ユーザ（ここでは新規登録されたユーザ）の仕様設定に関する情報を読み出して各機能制御部１０ａに提供し、前述と同様にして各機能制御部１０ａにより各制御部に対して仕様設定を実行させる（ステップＡ１２〜Ａ１４）。
【００８１】
なお、ステップＡ２において、入力操作が予め決められた特定の入力操作でないと判別された場合、ユーザ仕様に関係しない入力操作であれば（ステップＡ１５、Ｎｏ）、各機能制御部１０ａは、該当する処理を実行させる（ステップＡ１９）。
【００８２】
また、ユーザ仕様に関係する入力操作であれば（ステップＡ１５、Ｙｅｓ）、各機能制御部１０ａは、ユーザ仕様が設定済みであれば、設定済みのユーザ仕様に従い、各入力操作を該当する機能、表示、操作等に割り当て（ステップＡ１８）、該当処理を実行させる（ステップＡ１９）。
【００８３】
また、ユーザ仕様設定メモリ８０にユーザ仕様が設定されていない場合には、各操作をデフォルト仕様で割り当てて（ステップＡ１７）、該当処理を実行させる（ステップＡ１９）。
【００８４】
このようにして、第１実施形態では、電子カメラの撮影用途を簡易なＱ＆Ａ画面で選択させ、選択入力された回答に合わせて、利用する機能や、メニューの表示項目やスイッチ操作仕様等を自動設定できるようにしたので、設定メニューで逐一設定したり、操作に習熟しなくても、ユーザの用途や嗜好、レベル、特性に合わせた機能仕様や操作仕様に、簡単にカスタマイズ設定できる。また、複数ユーザで共用する場合にも、個人毎の特性に合わせた操作環境を提供できる。
【００８５】
また、電源ＯＮやＭＥＮＵスイッチを押す直前や直後に押すスイッチ、または、同時押しするスイッチにより、設定済ユーザの指定やカスタマイズ仕様の選択をする、あるいは、特定のスイッチを押す順序で指定選択できるようにしたので、スイッチの追加やパスワード入力等なしに、ユーザの指定や登録済み仕様選択が簡単、かつ、迅速にできる利点がある。
【００８６】
さらに、メーカ側にとっても、仕様を複雑にしたり、コストを大幅に上げることなく、用途や嗜好、ユーザ特性の異なる広範なユーザに対して、利用できるユーザ層を広げ、あるいは、各ユーザ毎の用途や好みに適した使いやすい仕様の製品を提供できる利点がある。
【００８７】
（第２実施形態）  
次に、本発明の第２実施形態について説明する。  
第２実施形態では、「カメラに対する好み」や「カメラに対する要求」、あるいは「カメラに対する習熟度」についての質問と回答選択肢を表示し、回答入力を要求して、ユーザに選択させることで、入力した回答に応じてメニューや操作仕様などをユーザ別の仕様に自動設定するための仕様設定に関する情報をユーザと対応づけてユーザ仕様設定メモリ８０に設定する。
【００８８】
なお、第２実施形態は、第１実施形態におけるユーザに対して提示する質問とこの質問に対する回答選択肢が異なるだけで、その他の処理については図５に示すフローチャートと同様にして実行されるものとして詳細な説明を省略する。
【００８９】
第２実施形態では、図５に示すフローチャートのステップＡ５において、質問選択肢出力部１０ｆは、「カメラに対する好み」（あるいは要求）についての質問と回答選択肢を表示出力する。
【００９０】
例えば、図６（ｂ）に示すように、質問Ｑ２として「どんなカメラが好みですか？」「機械の操作に強いほうですか？」を表示させると共に、この質問に対する複数の回答選択肢「Ａ１〜Ａ４」を表示させる。図６（ｂ）に示す例では、「Ａ１．失敗なく簡単に撮れればよい。」「Ａ２．機械操作には弱いが、色々撮りたい。」「Ａ３．機動力が大事、素早く撮りたい。」「Ａ４．画質や撮影条件にはこだわる。」「Ａ５．多機能が好き、色々いじるのが楽しい。」の回答選択肢が用意されている。
【００９１】
ユーザ別／特性別カスタム仕様設定部１０ｅは、質問選択肢出力部１０ｆによって表示される各回答選択肢に対して、回答選択肢のそれぞれに対応する仕様設定に関する情報を用意している。
【００９２】
例えば、「Ａ１．失敗なく簡単に撮れればよい。」の回答選択肢に対しては、簡易機能、簡単操作、フルオート、フェイルセーフの仕様設定、「Ａ２．機械操作には弱いが、色々撮りたい。」の回答選択肢に対しては、実用機能、簡単操作、標準オートの仕様設定、「Ａ３．機動力が大事、素早く撮りたい。」の回答選択肢に対しては、実用機能、クイック操作、標準オートの仕様設定、「Ａ４．画質や撮影条件にはこだわる。」の回答選択肢に対しては、撮影系フル機能、標準操作の仕様設定、「Ａ５．多機能が好き、色々いじるのが楽しい」の回答選択肢に対しては、ファイル機能、ファイル操作、ファイルカスタム設定の仕様設定を示す情報が用意されている。
【００９３】
図７（ｂ）には、質問Ｑ２に対する回答選択肢（Ａ１〜Ａ５）に対して設定される、撮影用途別のユーザ仕様設定の内容を示している。図７（ｂ）に示すように、ユーザ仕様設定では、機能仕様、操作仕様、自動制御、…についての設定内容が決められている。例えば、操作仕様では、簡単操作、クイック操作、標準操作、フル操作などのカスタム仕様が用意されており、回答選択肢に応じたユーザカスタム仕様が設定されている。
【００９４】
図８には、図７（ｂ）に示すユーザカスタム仕様ごとに決められた仕様の項目（図４参照）のそれぞれについての設定値を示している。例えば、操作仕様についてのカスタム仕様（クイック操作）に対しては、仕様の項目「メモリカード未装填時のレリーズ操作」「シャッタボタン半押しによるＡＥロック」「シャッタスピード、絞り値の設定の操作」についての設定値のみが「１」であり、その他の仕様の項目については設定値を「０」とすることで決められている。同様にして、操作仕様の簡易操作、フル操作…などのそれぞれについて、仕様の項目についての設定値が決められている。また、機能仕様、自動制御等についても、同様にして各仕様の項目についての設定値が決められているものとする。
【００９５】
このようにして、第２実施形態では、第１実施形態における効果に加えて、「カメラに対する好み」や「カメラに対する要求」についての質問に対して、複数の回答選択肢から何れかを選択することで、その回答選択肢に適合するように簡単に仕様設定することができるようになる。
【００９６】
なお、前述した第１実施例では、カメラの撮影用途について回答選択肢から選択させ、第２実施例では、カメラに対する好みや要求を同様にして回答選択肢から選択回答させるようにしたが、ユーザのカメラの利用方法、撮影する対象またはユーザの嗜好や好みなどに関して、その他の質問項目や選択操作を設けたり、用途、被写体、利用機能、操作性などを項目別に質問したり、複数の質問や選択をさせて、回答や選択操作に合わせてメニューや操作を自動設定するようにしてもよい。
【００９７】
図９及び図１０には電子カメラの外観と操作仕様の設定の一例を示している。
【００９８】
図９は、電子スチルカメラ／ビデオカメラの例を示す図である。図９に示すように、電子スチルカメラ／ビデオカメラには、例えばモードスイッチ１７ｂ、電子ダイアル１７ｄ、ダイアル１５、ジョグダイアル１７ｃ、ボタン（１）１７ｅ、カーソルキー１６（ＯＮキー）、ボタン（２）１７ａ、タッチパネル／表示モニタ５４等が設けられている。
【００９９】
ユーザＡに対しては、質問に対して選択した回答選択肢に応じて初心者用の操作仕様が設定され、同様にしてユーザＢに対してはクイック操作、ユーザＣに対してはフル仕様が設定されている。従って、ユーザＡ、ユーザＢ、ユーザＣのそれぞれに応じて、各入力デバイスについて異なる操作仕様を設定することができる。
【０１００】
図１０は、カメラ付携帯電話／カメラ付情報通信端末の例を示す図である。図１０に示すように、カメラ付携帯電話／カメラ付情報通信端末には、例えば表示モニタ（１）９６、表示モニタ（２）９７、ボタン１，２、カーソルキー＆ＯＮキー９８、カメラ切替えボタン（ボタンＡ）９４、シャッタ（ボタンＢ）９５等が設けられている。
【０１０１】
ユーザＡに対しては、質問に対して選択した回答選択肢に応じてメール優先＋縦型カメラの操作仕様が設定され、同様にしてユーザＢに対しては横型カメラ優先＋通話が設定されている。従って、ユーザＡ、ユーザＢのそれぞれに応じて、各入出力デバイスについて異なる操作仕様を設定することができる。この場合、電子カメラを縦型カメラあるいは横型カメラとして使用できるようにしているので、それぞれの使用形態において入出力デバイスの操作が容易となるように、操作使用を設定することができる。
【０１０２】
（第３実施形態）  
次に、本発明の第３実施形態について説明する。  
第３実施形態では、ユーザのプロファイルに関して、アンケート形式で複数の質問を表示して、入力された回答群（例えばＹｅｓ／Ｎｏ、選択肢を示す１〜４あるいは記号等）から、ユーザのプロファイルやユーザ特性を判別して、ユーザ特性に合わせた機能やメニュー画面などをユーザ別の仕様に自動設定するための仕様設定に関する情報をユーザと対応づけてユーザ仕様設定メモリ８０に設定する。
【０１０３】
質問と回答入力は、例えば電源ＯＮ直後の起動画面などで行い、一度設定した後は、対象ユーザの指定だけで、自動的にそのユーザに該当する登録された仕様設定に関する情報（カスタム仕様）を読み出して、カメラの機能や操作仕様やメニュー表示項目などを、該当するカスタム仕様に自動的に設定し、ユーザ毎の撮影用途に適した仕様でカメラを利用できるようにする。
【０１０４】
図１１は、第３実施形態におけるユーザ別の仕様設定の制御を説明するためのフローチャートである。なお、図１１に示すステップＢ１〜Ｂ４、Ｂ１７〜Ｂ２１は、前述した第１及び第２実施形態において説明した図５に示すフローチャートのステップＡ１〜Ａ４、ステップＡ１５〜Ａ１９にそれぞれ対応し、同様の処理を実行するものとして説明を省略する。
【０１０５】
ここでは、第３実施形態に特徴的なステップＢ５〜Ｂ１３の処理について説明する。
【０１０６】
ユーザ別／特性別カスタム仕様設定部１０ｅは、仕様設定に関する情報の新規登録であると判別すると（ステップＢ４、Ｎｏ）、質問選択肢出力部１０ｆにより仕様設定のための複数のアンケート（質問）を表示出力させる（ステップＡ５）。ここでは、アンケートに対する回答として、Ｙｅｓ／Ｎｏが指定されるものとする。
【０１０７】
第３実施形態では、質問選択肢出力部１０ｆは、ユーザのプロファイルやユーザ特性に対する複数のアンケート（質問）を表示出力させる。例えば、図１２に示すように、アンケートＱ１「外や街にでかけるのが好きなほうだ。」、Ｑ２「スポーツや体を動かすのが好きだ。」、Ｑ３「絵を描いたり、工作や手芸で何かを作るのが好きだ。」…のように、複数のアンケートを表示させる。
【０１０８】
ユーザ別／特性別カスタム仕様設定部１０ｅは、質問選択肢出力部１０ｆによって表示されるアンケートに対する回答をもとに判別される特性を表す分類（後述するクラスタ分類）のそれぞれに対応する仕様設定に関する情報を用意している。
【０１０９】
回答入力部１０ｇは、質問選択肢出力部１０ｆによって表示出力された複数のアンケートに対する回答、すなわち各アンケートに対するＹｅｓ／Ｎｏの何れかの指定（選択）を入力する（ステップＢ６）。
【０１１０】
ここで、回答入力部１０ｇにより有効な回答が得られなかった場合（無効回答または未回答）、ユーザ別／特性別カスタム仕様設定部１０ｅは、登録（設定）作業を解除する、またはデフォルト仕様に設定する（ステップＢ８）。なお、デフォルト仕様に設定するだけでなく、前回の起動時に指定されたユーザの仕様設定を行うようにしても良い。
【０１１１】
一方、有効な回答が得られた場合（ステップＢ７、Ｙｅｓ）、ユーザ別／特性別カスタム仕様設定部１０ｅは、回答内容からユーザ特性を評価分析し、特性指標値を算出する（ステップＢ９）。そして、ユーザ別／特性別カスタム仕様設定部１０ｅは、該当ユーザの特性指標値と既存クラスタの代表値との距離（差）を算出し、最も近いクラスタ分類を所属クラスタとして判定する（ステップＢ１０）。
【０１１２】
図１３は、ステップＢ９における特性指標値の算出について説明するための図である。
【０１１３】
図１３（ａ）に示すように、複数のアンケートＱ１，Ｑ２…に対して「Ｙｅｓ」の回答をユーザ特性の指標値、例えば外向志向、自然志向、専門志向、情報志向、芸術志向、自律志向…に対する特性指標値に換算する（「＋」値を追加する。回答が「Ｎｏ」の場合には「−」値）。例えば、アンケートＱ１に対して「Ｙｅｓ」の回答があった場合には、外向志向と情報志向に対して「＋＋」とし、アンケートＱ２に対しては、同様にして、外向志向、自然志向、及び専門志向に対しては「＋」、自律志向に対しては「＋＋」とする。以下、同様にして、各アンケートに対する回答を該当する特性指標値に変換する。
【０１１４】
そして、図１３（ｂ）に示すように、ユーザ特性の指標値（外向志向、自然志向、…）を集計して求める。すなわち、（＋）計、（−）計、その差し引きの値を求める。図１３（ｂ）では、各ユーザについての各特性指標値の集計結果を示している。
【０１１５】
図１４は、ステップＢ１０における所属クラスタの判定について説明するための図である。  
図１４では、例えば上方向が芸術志向、下方向が自律志向、左方向が情報志向、右方向が専門志向のユーザ特性の特性指標値が高いことを表し、既存クラスタ分類１〜５と代表値（図中「×」で表す）が定義されている。ここで、図１３（ｂ）に示すようにして求められた該当ユーザの特性指標値と既存クラスタ１〜５の代表値とのそれぞれ距離（差）を算出し、最も近いクラスタ分類を所属クラスタとして判定する。例えば、図１４中に示すユーザＡの特性指標値の場合には、クラスタ２の代表値との距離が最も近いので、クラスタ２を所属クラスタとして判定する。同様にして、ユーザＢの特性指標値の場合には、クラスタ１の代表値との距離が最も近いので、クラスタ１を所属クラスタとして判定する。
【０１１６】
ユーザ別／特性別カスタム仕様設定部１０ｅは、複数のアンケートについての回答をもとに判別されたユーザ特性を表すクラスタ分類が判定されると、所属クラスタに合わせたカスタム仕様を該当するユーザと対応づけてユーザ仕様設定メモリ８０に登録（設定）する（ステップＢ１１）。また、ユーザ別／特性別カスタム仕様設定部１０ｅは、該当キー操作を該当ユーザの選択操作として登録し（ステップＢ１２）、ユーザ登録を終了する（ステップＢ１３）。
【０１１７】
図１５には、クラスタ分類に合わせたカスタム仕様の一例を示している。  
例えば既存クラスタとして、「Ｃ１．初心者」「Ｃ２．写真マニア」「Ｃ３．ＨＰ志向」「Ｃ４．プロ志向」「Ｃ５．スナップ志向」…が定義されている。そして、各既存クラスタに対して、機能仕様、操作仕様、その他…のそれぞれに対する仕様設定が決められている。例えば「Ｃ１．初心者」のクラスタ分類に対しては、機能仕様については簡易機能、操作仕様については簡単操作、その他についてはフェイルセーフ…が決められている。
【０１１８】
ここで、ユーザＢが「Ｃ１．初心者」のクラスタ分類と判定された場合には、このクラスタ分類に対して定義された仕様設定に関する情報がユーザＢと対応づけてユーザ仕様設定メモリ８０に記憶される。同様にして、ユーザＡが「Ｃ２．写真マニア」のクラスタ分類と判定された場合には、このクラスタ分類に対して定義された仕様設定に関する情報がユーザＡと対応づけてユーザ仕様設定メモリ８０に記憶される。
【０１１９】
このようにして、第３実施形態では、第１及び第２実施形態における効果に加えて、アンケート式の簡単な複数の質問と回答入力から、ユーザのプロファイルや特性を判別して、ユーザ特性に適合するように簡単に仕様設定することができるようになる。
【０１２０】
（第４実施形態）  
次に、本発明の第４実施形態について説明する。  
第４実施形態では、ユーザが実際に行った操作手順や操作頻度、撮影画像の履歴等の使用状況から、ユーザの特性を判別、評価、学習し、ユーザ特性に適したメニューや項目、表示順等に仕様設定の内容を順次更新する。
【０１２１】
図１６は、第４実施形態におけるユーザ別の仕様設定の制御を説明するためのフローチャートである。なお、図１６に示すステップＣ１〜Ｃ４、Ｃ１４〜Ｃ１８、Ｃ１１〜Ｃ１３は、前述した第１及び第２実施形態において説明した図５に示すフローチャートのステップＡ１〜Ａ４、ステップＡ１５〜Ａ１９、Ａ１２〜Ａ１４にそれぞれ対応し、同様の処理を実行するものとして説明を省略する。
【０１２２】
ユーザ別／特性別カスタム仕様設定部１０ｅは、仕様設定に関する情報の新規登録であると判別すると（ステップＣ４、Ｎｏ）、ユーザ仕様設定メモリ８０に当該ユーザに対する仕様設定に関する情報として予め決められたデフォルト設定、あるいはユーザからの各種機能等に対する機能選択の指示に応じた選択仕様に初期設定する（ステップＣ５）。
【０１２３】
また、ユーザ別／特性別カスタム仕様設定部１０ｅは、該当ユーザについての履歴統計データを初期化する（ステップＣ６）。なお、履歴統計データは、例えばユーザ仕様設定メモリ８０において記憶して管理するもので、ユーザの操作に伴う仕様状況、例えば入力操作についての操作頻度、各種機能の利用頻度、画像を撮影した際の撮影条件、撮影画像についてのデータが含まれる。
【０１２４】
また、ユーザ別／特性別カスタム仕様設定部１０ｅは、入力回路１２を介して入力された入力操作（キー操作）を該当ユーザの選択操作として登録しておく（ステップＣ７）。これにより、ユーザ登録を終了する（ステップＣ８）。
【０１２５】
一方、ステップＣ２において、入力操作が予め決められた特定の入力操作でないと判別された場合、各機能制御部１０ａは、ユーザ仕様に関係しない入力操作であれば（ステップＣ１４、Ｎｏ）、該当する処理を実行させ（ステップＣ１８）、また、ユーザ仕様に関係する入力操作であれば（ステップＣ１４、Ｙｅｓ）、ユーザ仕様が設定済みであれば（ステップＣ１５、Ｙｅｓ）、設定済みのユーザ仕様に従い、各入力操作を該当する機能、表示、操作等に割り当て（ステップＣ１７）、該当処理を実行させる（ステップＣ１８）。
【０１２６】
ユーザ別／特性別カスタム仕様設定部１０ｅは、入入力操作に応じて、ユーザの操作頻度、機能の利用頻度の履歴統計データを更新する（ステップＣ１９）。また、ユーザ別／特性別カスタム仕様設定部１０ｅは、各機能制御部１０ａの制御により画像の撮影が行われたかを判別し（ステップＣ２０）、画像の撮影が行われていた場合には、画像撮影を行う際に各機能に対して設定された仕様の内容を撮影条件データとして記録し、履歴統計データを更新する（ステップＣ２１）。さらに、ユーザ別／特性別カスタム仕様設定部１０ｅは、撮影画像のサイズ、撮影画像の輝度分布や画質関連データを記録し、履歴統計データを更新する（ステップＣ２２）。
【０１２７】
こうして、ユーザによる入力操作、あるいは画像撮影が実行された場合には、入力操作についての操作頻度、各種機能の利用頻度、画像を撮影した際の撮影条件、撮影画像についてのデータが履歴統計データとして順次記録されていく。
【０１２８】
ユーザ別／特性別カスタム仕様設定部１０ｅは、指定されたユーザについての仕様設定に関する情報がユーザ仕様設定メモリ８０に設定済みであった場合（ステップＣ４、Ｙｅｓ）、履歴統計データ（該当ユーザの各入力操作や機能の利用頻度、撮影条件、撮影画像データの画質関連データ等）をもとにユーザ特性を評価する（ステップＣ９）。
【０１２９】
そして、評価した特性に合わせて、カスタム仕様を更新（仕様設定に関する情報を選択）し、該当ユーザについてユーザ仕様設定メモリ８０に記憶された仕様設定に関する情報を登録（変更）する（ステップＣ１０）。
【０１３０】
このようにして、第４実施形態では、ユーザによる操作手順や機能の利用頻度、撮影条件や撮影画像の画質特性などを履歴統計データとして、その都度更新し、履歴統計データやその統計量からユーザの特性を順次再評価して、ユーザ特性に適した機能仕様や操作仕様、メニュー表示（表示項目や操作の表示順）等を自動的に更新するように仕様設定を変更するので、ユーザが特別な設定操作を行うことなく、簡単に使いやすい仕様設定を提供することができる。
【０１３１】
なお、第４実施形態は、第１乃至第３実施形態の何れかと組み合わせて実行することも可能である。例えば、第３実施形態と組み合わせて実行する場合、履歴統計データとして記録されたデータを、アンケートに対する回答と同様にして扱うことでユーザ特性に対する分類を判定し、この判定された分類について定義された仕様設定に関する情報をユーザに対して設定する。
【０１３２】
（第５実施形態）  
次に、本発明の第５実施形態について説明する。  
第５実施形態では、撮影画像をＤＣＦやＤＰＯＦ規格等で記録する画像メモリ媒体に、カスタマイズ設定仕様、ユーザ特性等の仕様設定に関する情報を画像データと合わせて記録するものである。
【０１３３】
図１７は、第５実施形態における電子カメラ（デジタルカメラ機器１００）と撮影画像を記録するための画像メモリ媒体（着脱式メモリ媒体１６３）、及び画像メモリ媒体に記録された撮影画像を出力する機器（再生機器２００）を示すブロック図、図１８はデジタルカメラ機器１００の詳細な構成を示すブロック図である。
【０１３４】
デジタルカメラ機器１００は、前述した第１乃至第４実施形態に示す電子カメラの機能を有しているものとする。図１７では、制御回路１１０（制御回路１０）、各機能制御部１１０ａ（各機能制御部１０ａ）、操作入力部１１１（操作入力部１０ｂ、入力回路１２を含む）、撮像系制御部１１４（図１に示す各撮像系制御部）、ユーザ仕様設定メモリ１８０（ユーザ仕様設定メモリ８０）、及び着脱式メモリ媒体１６３（外部メモリ６３）を示している。なお、各部の詳細については、第１乃至第４実施形態の説明に代えて省略する。
【０１３５】
また、図１８に示すように、制御回路１１０には、図３に示す制御回路１０と同様の機能（１１０ａ〜１１０ｈ）が設けられている（詳細な説明を省略する）。ただし、制御回路１１０には、ユーザ別／特性別カスタム仕様設定部１１０ｅの制御のもとで、カードインタフェース１１５を介して着脱式メモリ媒体１６３に対するアクセスを制御する外部メモリ制御部１１０ｊが設けられている。
【０１３６】
着脱式メモリ媒体１６３は、ソケット（カードＩ／Ｆ６２）により装着されることで、ユーザ別／特性別カスタム仕様設定部１１０ｅにより外部メモリ制御部１１０ｊ、カードインタフェース１１５を通じて、撮影画像データの他、各種情報についてのデータが記録される。着脱式メモリ媒体１６３は、図１７（ｂ）に示すように、コントローラ１６３ａ、画像メモリ１６３ｂ、端子１６３ｃが設けられている。
【０１３７】
第５実施形態では、着脱式メモリ媒体１６３に対して画像データと共に、同画像データが撮影された際のユーザ仕様設定メモリ１８０（ユーザ仕様設定メモリ８０）に記憶されていた仕様設定に関するデータ（ユーザ仕様設定データ）、第３及び第４実施形態で説明した方法により判定したユーザ特性やクラスタ分類を示すデータ、あるいは画像情報（画像ファイル形式や画像フォーマット、画像サイズ、撮影日時、撮影者など）、さらには電子カメラ（デジタルカメラ機器１００）の機器情報（メーカー名、機種名、機器の仕様情報など）等を記録する。なお、前述したデータの全てではなく選択的に必要とするデータを画像データと共に記録するようにしても良い。
【０１３８】
再生機器２００は、例えば他のデジタルカメラ（電子スチルカメラ／ビデオカメラ）、画像ビュアー、パーソナルコンピュータ、プリンタ機器等、画像を表示あるいは印刷して出力することができる機器である。
【０１３９】
再生機器２００の制御部２１０は、着脱式メモリ媒体１６３が装着されると、着脱式メモリ媒体１６３に記録された画像データを読み出して、図示せぬメモリに記録する。また、画像データと共に記憶されているユーザ仕様設定データやユーザ特性など、前述した各データをユーザ仕様設定メモリ２８０に記録する。
【０１４０】
再生機能制御部２８５は、操作入力部２１２からの入力操作により画像の出力が指示されると、制御部２１０の制御のもとで、レンズ駆動部２８０に記録されたユーザ仕様設定データやユーザ特性などに応じて、機器の仕様や再生方法を自動的に設定する。そして、再生機能制御部２８５は、メモリに記録された画像データについて、画像再生出力部２８６により表示出力、あるいはプリンタ２９０により印刷出力する。
【０１４１】
このようにして、第５実施形態では、画像を撮影する電子カメラにおいて設定された仕様設定に関する情報（ユーザ仕様設定データ）の他、ユーザ特性や分類、画像情報、機器仕様情報なとのデータを、画像データと共に可搬型のメモリ媒体に記録することで、画像データを再生出力する側の機器において、メモリ媒体から画像を読出し再生出力する際には、仕様設定を示す情報などをもとに機器の仕様や再生方法を自動的に設定することができるので、電子カメラで設定されたユーザの好みや特性に合わせた利用方法が容易に実現できる。
【０１４２】
なお、前述した各実施形態の説明では、一眼レフ電子カメラ（図１）を対象にして説明しているが、ビデオカメラ、カメラ付携帯電話など、複数の仕様（機能）の設定が可能なカメラ機能が搭載された各種機器に対して適用することが可能である。
【０１４３】
さらに、上記実施の形態には種々の段階の発明が含まれており、開示される複数の構成要件における適宜の組み合わせにより種々の発明が抽出され得る。例えば、実施の形態に示される全構成要件から幾つかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１４４】
【図１】本発明の実施の形態における電子カメラの回路システム構成を示すブロック図。
【図２】本発明の実施の形態におけるユーザ別仕様設定をする場合の基本構成部のみを抽出したブロック図。
【図３】本発明の実施の形態におけるユーザ別仕様設定をする場合の構成部のみを抽出したブロック図。
【図４】本実施形態における電子カメラがユーザからの指示に応じて設定（カスタマイズ）できる仕様と設定値の具体例について示す図。
【図５】第１実施形態におけるユーザ別の仕様設定の制御を説明するためのフローチャート。
【図６】第１及び第２実施形態において表示出力される質問と回答選択肢の一例を示す図。
【図７】第１及び第２実施形態における質問に対する回答選択肢に対して設定されるユーザ仕様設定の内容を示す図。
【図８】第１及び第２実施形態におけるユーザカスタム仕様ごとに決められた仕様の項目のそれぞれについての設定値を示す図。
【図９】第１及び第２実施形態における電子カメラ（電子スチルカメラ／ビデオカメラ）の外観と操作仕様の設定の一例を示す図。
【図１０】第１及び第２実施形態における電子カメラ（カメラ付携帯電話／カメラ付情報通信端末）の外観と操作仕様の設定の一例を示す図。
【図１１】第３実施形態におけるユーザ別の仕様設定の制御を説明するためのフローチャート。
【図１２】第３実施形態において表示出力されるアンケートの一例を示す図。
【図１３】第３実施形態における特性指標値の算出について説明するための図。
【図１４】第３実施形態における所属クラスタの判定について説明するための図。
【図１５】第３実施形態におけるクラスタ分類に合わせたカスタム仕様の一例を示す図。
【図１６】第４実施形態におけるユーザ別の仕様設定の制御を説明するためのフローチャート。
【図１７】第５実施形態における電子カメラと撮影画像を記録するための画像メモリ媒体、及び画像メモリ媒体に記録された撮影画像を出力する機器を示すブロック図。
【図１８】第５実施形態におけるデジタルカメラ機器１００の詳細な構成を示すブロック図。
【符号の説明】
【０１４５】
１０…制御回路、１０ａ，１１０ａ…各機能制御部、１０ｂ，１１０ｂ…操作入力部、１０ｃ，１１０ｃ…ユーザ識別部、１０ｄ…ユーザ別カスタム仕様設定部、１０ｅ，１１０ｅ…ユーザ別／特性別カスタム仕様設定部、１０ｆ，１１０ｆ…質問選択肢出力部、１０ｇ，１１０ｇ…回答入力部、１０ｈ，１１０ｈ…ユーザ特性識別部、１１０ｊ…外部メモリ制御部、１２…入力回路、１３…シャッタ半押しスイッチ（ＳＷ）、１４…シャッタスイッチ（ＳＷ）、１５…ダイアル、１６…カーソルキー、１７…その他入力部、２０…撮影レンズ、２１…レンズ光学系、２２…絞り、２４…絞り制御部、２５…シャッタ制御／ミラー制御部、２６…ズーム制御部、２７…焦点制御部、２８，２９…レンズ駆動部、３０…ハーフミラー、３１…ペンタプリズム、３２…光学ファインダ、３４…シャッタ、３５ａ，３５ｂ…ミラー、３６…測光測距検出部、３７…測距制御部、３８…露出制御部、４０…撮像素子、４１…タイミング発生部４１、４２…ドライバ、４４…サンプルホールド（Ｓ／Ｈ）／オートゲインコントローラ（ＡＧＣ）、４５…Ａ／Ｄ回路、５０…表示メモリ、５２…表示駆動部、５４…タッチパネル／表示モニタ、５５…座標入力部、５７…画像信号処理部、５８…画像メモリ、６０…外部Ｉ／Ｏインタフェース、６１…外部接続コネクタ、６２…カードインタフェース（Ｉ／Ｆ）、６３…外部メモリ、６５…無線通信／ＬＡＮインタフェース、６６…ベースバンド部、６７…送受信部、６８…アンテナ、７０…フラッシュ制御部、７２…フラッシュ駆動部、７３…フラッシュ、７５…電源駆動部、７６…電源スイッチ、７８…電池、８０…ユーザ仕様設定メモリ、９０…撮影レンズ、９１…光学ファインダ、９２…ストロボ、９４…カメラ切替えボタン、９５…シャッタ、９８…カーソルキー、１００…デジタルカメラ機器、１１０…制御回路、１１４…撮像系制御部、１２０…光学系、１６３…着脱式メモリ媒体、１８０…ユーザ仕様設定メモリ、１６３ａ…コントローラ、１６３ｂ…画像メモリ、１６３ｃ…端子、２００…再生機器、２１０…制御部、２１２…操作入力部、２８５…再生機能制御部、２８６…画像再生出力部、２９０…プリンタ。
【図１】
2005117478.tif 000003
【図２】
2005117478.tif 000004
【図３】
2005117478.tif 000005
【図４】
2005117478.tif 000006
【図５】
2005117478.tif 000007
【図６】
2005117478.tif 000008
【図７】
2005117478.tif 000009
【図８】
2005117478.tif 000010
【図９】
2005117478.tif 000011
【図１０】
2005117478.tif 000012
【図１１】
2005117478.tif 000013
【図１２】
2005117478.tif 000014
【図１３】
2005117478.tif 000015
【図１４】
2005117478.tif 000016
【図１５】
2005117478.tif 000017
【図１６】
2005117478.tif 000018
【図１７】
2005117478.tif 000019
【図１８】
2005117478.tif 000020